(57)【要約】【課題】水力発電モジュールを待機姿勢または水没姿勢で簡単な操作により固定できる水力発電装置を提供する。【解決手段】この水力発電装置は、水車翼２および発電機５を有する水力発電モジュール３と、この水力発電モジュール３が搭載された架台１１と、水路１に固定されて架台１１を支持する固定フレーム１０とを備える。架台１１は、固定フレーム１０に対して水車翼２の下端が水路１の水面より下に位置する水没姿勢と、水車翼２の全体が水面より上に位置する待機姿勢とにわたって上下に回転可能に支持される。固定フレーム１０に、回転ストッパー４７が上下方向の回転軸心回りに回転可能に取付けられる。この回転ストッパー４７は、係合回転位置で架台１１に係合して架台１１を待機姿勢または水没姿勢いずれか一方に保持する。【選択図】図１
2020101114.tif 000002
【特許請求の範囲】
【請求項１】
水力を回転力に変換する水車翼および前記水車翼の回転により発電する発電機を有する水力発電モジュールと、この水力発電モジュールが搭載された架台と、水路に固定されて前記架台を支持する固定フレームとを備えた水力発電装置であって．
前記架台は、前記固定フレームに対して、前記水車翼の下端が前記水路の水面より下に位置する水没姿勢と、前記水車翼の全体が前記水面より上に位置する待機姿勢とにわたって上下に回転可能に支持され、
前記固定フレームに回転ストッパーが、上下方向の回転軸心回りに回転可能に取付けられ、この回転ストッパーは、係合回転位置で前記架台に係合して前記架台を前記待機姿勢または前記水没姿勢いずれか一方に保持し、非係合回転位置で前記架台に対して非係合となる水力発電装置。
【請求項２】
請求項１に記載の水力発電装置において、前記固定フレームに、前記回転ストッパーの回転範囲を、前記係合回転位置を超える側に回転しないように規制する突起部が設けられた水力発電装置。
【請求項３】
請求項１または請求項２に記載の水力発電装置において、前記回転ストッパーは、作業者の足を当てて回転操作することが可能な操作片部を有する水力発電装置。
【請求項４】
請求項１ないし請求項３のいずれか１項に記載の水力発電装置において、前記回転ストッパーは、前記架台に係合可能な係合片部と作業者により操作可能な操作片部とが、前記回転軸心から互いに鈍角を成す角度で屈曲して延びる形状である水力発電装置。
【請求項５】
請求項１ないし請求項４のいずれか１項に記載の水力発電装置において、前記架台にストッパー片が設けられ、前記固定フレームに、前記ストッパー片が係合することで、前記架台が前記待機姿勢を超えて回転しないように回転範囲を規制するストッパーベースが設けられた水力発電装置。
【請求項６】
請求項５に記載の水力発電装置において、前記回転ストッパーは、前記係合回転位置において前記ストッパー片に係合して前記架台の回転を阻止する水力発電装置。
【請求項７】
請求項５または請求項６に記載の水力発電装置において、前記ストッパー片は、先端位置が前記水路の幅方向の中心側に位置するように屈曲した形状である水力発電装置。
【発明の詳細な説明】
【技術分野】
【０００１】
この発明は、農業用水路、上工業用水路、上下水道、小河川等の水路に設置される水力発電装置に係り、特にその水没姿勢または引き上げられた待機姿勢において固定する技術に関する。
【背景技術】
【０００２】
水力発電装置は、流水が持つ運動エネルギーを、発電に利用するシステムである。この水力発電装置の中で小型ものは、農業用水路等の水路に設置され利用されている。この種の水力発電装置は、発電時は水車を水路に沈めるが、水路の増水等の非常時やメンテナンス等のために、引き上げることが必要となる。
このような水力発電装置として、水車翼および発電機を有する水力発電モジュールと、この水力発電モジュールが搭載された架台と、水路に固定されて前記架台を支持する固定フレームとを備え、前記架台が、固定フレームに対して、水車翼の下端が水路の水面より下に位置する水没姿勢と、水車翼の全体が水面より上に位置する待機姿勢とにわたって上下に回転可能に支持されたものが提案されている（例えば特許文献１）。
【０００３】
水力発電モジュールが搭載された架台は、待機姿勢や水没姿勢において、姿勢安定のために固定しておくことが必要となる。同文献では、架台を回転させる回転機構の摩擦力やラチェット、かんぬき棒等で水没姿勢に保持することが提案されている。
【先行技術文献】
【特許文献】
【０００４】
【特許文献１】特開２０１８−１４１４５９号公報
【発明の概要】
【発明が解決しようとする課題】
【０００５】
前記水力発電モジュールが搭載された架台は、待機姿勢や水没姿勢において、より確実に姿勢を固定可能とすることが望ましい。
このような課題に対して、特許文献１では、架台を待機姿勢に引き上げる操作を行う引き上げ操作棒を棒収容部に収納しておき、引き上げ時は、前記引き上げ操作棒を用いて架台を回転させ、引き上げ操作棒を棒挿入部に挿入して、架台を固定することが提案されている。
また、かんぬき式の姿勢保持機構が提案されている。具体的には、水車の水没姿勢を保持するために嵌合穴にかんぬき棒を挿入しておく。引上げ作業時は、かんぬき棒をスライドさせ、嵌合穴から抜く。次に水車を引き上げて水平状態に保持し、かんぬき棒をもう一つの嵌合穴に挿入し、水車の待機姿勢を保持する。
【０００６】
しかし、上記の引き上げ操作棒を用いる構成は、引き上げ部品と水車固定部品とに同一の引き上げ棒を使用するため、作業が煩雑である。
また、かんぬき式の問題点として、水車を引き上げた後、かんぬき棒をスライドさせて嵌合穴に入れる際、人の力で水車をかんぬき棒が嵌合穴に入る角度に保持する必要があり、作業が難しく重労働である。また、かんぬき機構は水車翼の近く取付ける必要があり、水路幅が2000mm以上になると水路上での作業が必要となり、水路上での作業は作業性が悪い。引上げ作業には、引上げ作業者２人とかんぬき操作者１人の３人が必要であり、人工数が多く作業コストが増大する。
【０００７】
この発明は、上記課題を解消するものであり、水力発電モジュールを待機姿勢または水没姿勢で簡単な操作により固定できる水力発電装置を提供することである。
【課題を解決するための手段】
【０００８】
この発明の水力発電装置は、水力を回転力に変換する水車翼および前記水車翼の回転により発電する発電機を有する水力発電モジュールと、この水力発電モジュールが搭載された架台と、水路に固定されて前記架台を支持する固定フレームとを備えた水力発電装置であって．
前記架台は、前記固定フレームに対して、前記水車翼の下端が前記水路の水面より下に位置する水没姿勢と、前記水車翼の全体が前記水面より上に位置する待機姿勢とにわたって上下に回転可能に支持され、
前記固定フレームに回転ストッパーが、上下方向の回転軸心回りに回転可能に取付けられ、この回転ストッパーは、係合回転位置で前記架台に係合して前記架台を前記待機姿勢または前記水没姿勢いずれか一方に保持し、非係合回転位置で前記架台に対して非係合となる。
前記「水路の水面」は、その水路に規定され、またはこの水力発電装置の設計上で定められた水位にあるとする。
【０００９】
この構成によると、水力発電モジュールを搭載した架台が、固定フレームに対し水没姿勢と待機姿勢とに渡って上下に回転可能に支持されているため、増水時やメンテナンス時に水力発電モジュールを水車翼が水面よりも上方に位置する待機位置に引き上げることができて、安全やメンテナンスの作業性を向上させることができる。またこの水力発電装置の設置時には、水力発電モジュールを待機姿勢として運搬できて、運搬時の寸法を小さくできる。回転により水没姿勢と待機姿勢とに姿勢変更するため、姿勢変更の作業も容易である。
特に、固定フレームに回転ストッパーが上下方向の回転軸心回りに回転可能に取付けられ、この回転ストッパーは、係合回転位置で、架台に係合して架台を前記水没姿勢または前記待機姿勢いずれか一方に保持し、非係合回転位置で架台に対して非係合となるため、水力発電モジュールを搭載した架台を待機姿勢または水没姿勢で固定することができ、安全性が高められる。回転ストッパーは回転軸心が上下方向であり、架台の回転軸心と直交するため、係合するだけで確実な回転の固定が行える。
回転ストッパーは回転より架台に対して係合状態または非係合状態となるため、かんぬき棒を抜き差しするような構成の場合に比べ、架台を固定する状態と固定しない状態とに切り換える操作が簡単に行える。しかも、回転ストッパーは、固定フレームに回転可能に取り付けられていることで、水路の外から係脱の操作が行え、このことからも架台の固定状態と非固定状態との切り換えの操作が簡単に行える。
なお、前記「架台に係合して」とは、架台自体に係合する場合と、架台に固定状態に設けられた物、例えば後述のストッパー片等に係合する場合を含む意味である。
【００１０】
この発明において、前記固定フレームに、前記回転ストッパーの回転範囲を、前記係合回転位置を超える側に回転しないように規制する突起部が設けられていてもよい。
突起部があることにより、回転ストッパーの位置を特に調整することなく係合位置とできて、作業時間が短縮され、作業コストが削減される。
【００１１】
この発明において、前記回転ストッパーは、作業者の足を当てて回転操作することが可能な操作片部を有していてもよい。
足で操作が可能となることで、作業人数が２人で済み、人工数の削減になり作業コストが削減される。
【００１２】
この発明において、前記回転ストッパーは、前記架台に係合可能な係合片部と作業者により操作可能な操作片部とが、前記回転軸心から互いに鈍角を成す角度で屈曲して延びる形状であってもよい。
回転ストッパーが鈍角を成す角度で屈曲していることで、つまり「くの字」であることで、回転ストッパー足等での回転の操作が容易となり、安全性・作業性が向上する。
【００１３】
この発明において、前記架台にストッパー片が設けられ、前記固定フレームに、前記ストッパー片が係合することで、前記架台が前記待機姿勢を超えて回転しないように回転範囲を規制するストッパーベースが設けられていてもよい。
ストッパーベースにストッパー板が当接する位置まで引き上げる機構とされていることにより、かんぬき式のようなストッパーを効かせるために水車の角度を維持する工程が不要となり、作業性および安全性が向上する。
【００１４】
この構成の場合に、前記回転ストッパーは、前記係合回転位置において前記ストッパー片に係合して前記架台の回転を阻止する構成であってもよい。
この構成の場合、ストッパーベースに係合しているストッパー片上に回転ストッパーが被さることで架台の回転が固定でき、より簡単な構成で架台の回転を確実に阻止することができる。
【００１５】
前記ストッパーベースを設ける場合に、前記ストッパー片は先端位置が前記水路の幅方向の中心側に位置するように屈曲した形状であってもよい。
ストッパー片は水路内側方向に屈曲した形状になっていると、ストッパー板と固定フレームのすきまに指が入ることが防止され、安全に作業できる
【発明の効果】
【００１６】
この発明の水力発電装置は、水力を回転力に変換する水車翼および前記水車翼の回転により発電する発電機を有する水力発電モジュールと、この水力発電モジュールが搭載された架台と、水路に固定されて前記架台を支持する固定フレームとを備えた水力発電装置であって．前記架台は、前記固定フレームに対して、前記水車翼の下端が前記水路の水面より下に位置する水没姿勢と、前記水車翼の全体が前記水面より上に位置する待機姿勢とにわたって上下に回転可能に支持され、前記固定フレームに回転ストッパーが、上下方向の回転軸心回りに回転可能に取付けられ、この回転ストッパーは、係合回転位置で前記架台に係合して前記架台を前記待機姿勢または前記水没姿勢いずれか一方に保持し、非係合回転位置で前記架台に対して非係合となるは前記水没姿勢いずれか一方に保持し、非係合回転位置で前記架台に対して非係合となるため、水力発電モジュールを待機姿勢または水没姿勢で簡単な操作により固定することができる。
【図面の簡単な説明】
【００１７】
【図１】この発明の一実施形態に係る水力発電装置の斜視図である。
【図２】同水力発電装置の正面図である。
【図３】同水力発電装置の側面図である。
【図４】同水力発電装置の平面図である。
【図５】同水力発電装置におけるストッパー機構の部分を示す水没姿勢状態の斜視図である。
【図６】同水力発電装置におけるストッパー機構の部分を示す待機姿勢状態の斜視図である。
【図７】同水力発電装置におけるストッパー機構の部分を示す待機姿勢状態における回転ストッパー係合状態を示す斜視図である。
【発明を実施するための形態】
【００１８】
この発明の一実施形態に係る水力発電装置を図１ないし図７と共に説明する。
＜水力発電装置全体の概略構成について＞
この水力発電装置は、水力を回転力に変換する水車翼２および水車翼２の回転により発電する発電機５を有する水力発電モジュール３と、この水力発電モジュール３が搭載された架台１１と、水路１に固定されて前記架台１１を支持する固定フレーム１０とを備え、図２に示すように水路１に設置される。前記架台１１と固定フレーム１０等で、支持装置４を構成する。
水路１は、例えば、農業用水路、上工業用水路、小河川、上下水道等であり、上面が開放されている。前記水路１の内面は、コンクリート等から成る両側の水路側壁１ａと水路底壁１ｂとで構成される。
なお、以下の説明において、特に説明する場合を除き、上下の位置、方向関係に関する説明は、架台１１が図１のように水没姿勢である場合の位置、方向の関係を示す。
【００１９】
＜水車２、水力発電モジュール３について＞
水車２は、回転軸心Ｌが水流の流れ方向と平行なプロペラ型であり、前記回転軸心Ｌに位置するハブ２ａと、このハブ２ａの外周面から半径方向外方に放射状に延びる複数（図示の例では５枚）の羽根２ｂとを有する。各羽根２ｂの先端部は、図３に示すように上流側に向けて傾斜している。
【００２０】
水車２のハブ２ａに同軸に翼軸（図示せず）が取り付けられ、この翼軸は、ギヤボックス７に設けられた軸受（図示せず）により回転自在に支持される。翼軸の回転は、ギヤボックス７内の一対の傘歯車等から成る増速機（図示せず）により増速される。ギヤボックス７は、支持筒８の下端に取付けられている。支持筒８内に軸受（図示せず）によって回転自在に設置された伝達軸９に、前記増速機で増速され水車２の回転が伝達される。支持筒８の軸心は鉛直方向である。伝達軸９の上端は、前記発電機５の入力軸に連結されている。
発電機５は、発電機台１２上に設置され、発電機台１２に前記支持筒８の上端が固定されている。発電機台１２は、発電機台本体１２ａとこの発電機台本体１２ａから垂直に立ち上がる取付板１２ｂとを有し、この取付板１２ｂに発電機５が設置されている。
発電機５は、永久磁石型同期発電機等の交流発電機である。発電機５および発電機台１２は、架台１１に取付けられた発電機カバー２０（図５〜図７）によって覆われている。図１ないし図４は、発電機カバー２０を取り外した状態を示す。
【００２１】
＜架台１１、固定フレーム１０、支持装置４について＞
図３に示すように、架台１１は、固定フレーム１０に対して回転軸受部１４を介して上下回転可能に支持され、水車翼２の下端が水路１の水面Ｓより下に位置する水没姿勢（同図に実線で示す姿勢）と、水車翼２の全体が水面より上に位置する待機姿勢（同図に一点鎖線で示す姿勢）とにわたって回転可能である。前記支持装置４は、前記固定フレーム１０、固定梁１５、架台１１、回転軸受部１４、回転操作手段１６、およびストッパー機構４０を備える。
【００２２】
図１に示すように、固定フレーム１０は、水力発電モジュール３の両側に位置して一対設けられ、梁状の固定フレーム結合部材１８で相互に結合されている。各固定フレーム１０は、水路１の流れ方向に沿う形鋼、具体的にはアングル材からなり、前記固定梁１５の上に、水路流れ方向に位置調整可能に設置されている。固定梁１５は、アングル材からなり、図２のように水路側壁１ａの上端面と内側面とに渡って被さり、水路側壁１ａにコンクリートねじ等の固定具で固定される。固定フレーム１０は、固定梁１５にその上面から水路内側の面に渡って被さる。図４のように、固定フレーム１０および固定梁１５にはそれぞれ取付孔が設けられ、両取付孔に渡って挿通されたボルト・ナット等の締付結合具３３により、固定フレーム１０が固定梁１５に固定される。
【００２３】
なお、図示の実施形態は、水路１の水路幅方向における設置個数が１個である場合の例であり、水路１の水路幅方向に複数の水力発電装置を並べて設置する場合は、水路に架ける渡した複数本の平行な梁（図示せず）間に渡って固定フレーム１０を設置する。
【００２４】
架台１１は、水路を横断する方向に設けられた回転梁１３と、この回転梁１３の両端に基端がそれぞれ固定された一対の片持ち状のアーム部材２５，２５と、両アーム部材２５，２５を先端部で結合するアーム部材結合材２６とを有する。両アーム部材２５，２５に渡って水力発電モジュール３が、前記発電機台１２で取付けられている。回転梁１３は、図示の例では角パイプからなり、両端に設けられた丸軸部（図示せず）が、前記回転軸受部１４，１４に回転自在に支持される。回転軸受部１４は、転がり軸受ユニット等からなる。
【００２５】
前記一対のアーム部材２５，２５は、互いに向かい合うアングル材からなり、その下フランジ上に発電機台１２が載せられ、アーム部材２５，２５および発電機台１２に設けられた取付孔に渡って挿通されたボルト・ナット等の締付結合具２９で固定されている。アーム部材２５，２５の取付孔は選択的に使用可能なようにアーム部材２５，２５の長さ方向に並んで複数設けられ、任意の取付孔を選択して前記締付結合具２９を挿通させることで、架台１１に対して水力発電モジュール３の取付位置を架台１１の片持ち状に延びる方向に対して位置調整可能である。
【００２６】
＜回転操作手段１６について＞
回転操作手段１６は、固定フレーム１０に対し架台１１を人力で回転する棒状部材、つまり操作棒であり、２本設けられている。各操作手段１６は、架台１１の回転梁１３の両端に設けられたパイプ状の操作手段取付部２１に挿脱自在に取付け可能である。操作手段１６により、架台１１が図３に示す水没姿勢と待機姿勢とに渡って回転可能である。
【００２７】
＜ストッパー機構４０について＞
図１に示すように、ストッパー機構４０は、架台１１の回転範囲を規制するストッパー片４１，４２と、ストッパー片４１，４２が当接するストッパーベース４３，４４と、架台１１が前記待機姿勢にあるときにその姿勢を保つ回転ストッパー４７とを有する。まず回転範囲を規制するストッパー片４１，４２について説明する。
【００２８】
＜＜ストッパー片４１，４２について＞＞
図１に示すように、架台１１には、回転梁１３の両端に共に、水没姿勢維持用のストッパー片４１および待機姿勢維持用のストッパー片４２が設けられ、固定フレーム１０に、前記各ストッパー片４１，４２がそれぞれ当接する水没姿勢維持用および待機姿勢維持用のストッパーベース４３，４４が設けられている。前記両ストッパー片４１，４２は、いずれも板状であり、角パイプからなる回転梁１３の隣合う２面に一端が固定され、回転梁１３から片持ち状に突出する。また、前記両ストッパー片４１，４２は、いずれも、先端位置が水路１の幅方向の中心側に位置する折れ曲がった形状である。より詳しくは、両ストッパー片４１，４２は、いずれも、固定フレーム１０に取付けられる取付部分に対して、先端側部分となる当接用部分が水路１の幅方向の中心側にずれて位置し、両部分が互いに平行であり、かつ両平行部分の間の部分が前記両部分に対して斜めとなる形状である。
【００２９】
水没姿勢維持用のストッパーベース４３は、回転梁１３の回転軸心Ｌよりも水路１の下流側に位置している。図３のように、水没姿勢維持用のストッパー片４１が水没姿勢維持用のストッパーベース４３の上面に当接した状態で、架台１１およびその上の水力発電モジュール３は、水車翼２の回転軸心Ｌが、流水の流れる方向に沿う水平方向となり、架台１１がこの姿勢を超えて待機姿勢から離れる側の回転方向、つまり上流側に回転しないように規制される。水没姿勢維持用のストッパー片４１は、水没姿勢維持用のストッパーベース４３にボルト等からなる固定具４５で固定可能であり、この固定状態で架台１１は水力発電モジュール３と共に、水没姿勢で固定フレーム１０に固定される。
【００３０】
待機姿勢維持用のストッパーベース４４は、回転梁１３の回転中心軸よりも水路１の上流側に位置しており、図６のように、水没姿勢維持用のストッパー片４２が水没姿勢維持用のストッパーベース４４に当接した状態で、架台１１およびその上の水力発電モジュール３は、水車翼２の回転軸心Ｌ（図３参照）が垂直姿勢となり、架台１１がこの水没姿勢を超えて上側に回転しないように規制される。
【００３１】
＜＜回転ストッパー４７について＞＞
固定フレーム１０に回転ストッパー４７が上下方向の回転軸心Ｐ回りに回転可能にボルト４９により取付けられている。この回転ストッパー４７は、所定の回転位置である係合回転位置で、架台１１に係合して架台１１を待機姿勢に保持し、非係合回転位置で架台１１に対して非係合となる。より詳しくは、回転ストッパー４７は、架台１１が待機姿勢となって待機姿勢維持用のストッパーベース４４に待機姿勢維持用のストッパー片４２が当接した状態で、このストッパー片４２の上面に被さるように回転ストッパー４７が係合する。
ストッパーベース４４には、回転ストッパー４７に当接して回転ストッパー４７の回転範囲を、前記係合回転位置を超える側に回転しないように規制する突起部５２が設けられている。
【００３２】
回転ストッパー４７は、架台１１の待機姿勢維持用のストッパー片４２に係合可能な係合片部４７ａと、作業者により操作可能な操作片部４７ｂとが、前記回転軸心Ｐから互いに鈍角を成す角度で屈曲して延びる、「く」字形の形状を成す。操作片部４７ｂの作業者の足を当てることが可能な形状、大きさとされる。
【００３３】
＜作用効果について＞
この水力発電装置は、常時は、図１，図２に示し、図３に実線で示すように、架台１１を水力発電モジュール３と共に水没姿勢とする。架台１１は、回転梁１４から片持ち状ち延びる形状であって、両側の固定フレーム１０に対し回転軸受部１４，１４によって上下回転自在に支持されており、架台１１に固定された両側の水没姿勢用のストッパー片４１が、固定フレーム１０に設けられたストッパーベース４３に当接することで、水没姿勢を維持する。架台１１は、回転軸受部１４に対して下流側に偏って位置するため、ストッパー片４１がストッパーベース４３に当接するだけでも流量バランスにより水没姿勢を維持するが、水流が水車翼２が作用することで水車翼２を上昇回転させるモーメンドが作用する。この上昇回転は、ストッパー片４１がストッパーベース４３に固定具４５で固定されることで阻止され、架台１１は水力発電モジュール３と共に、水車翼２が水面Ｓに漬かる水没姿勢を維持する。
【００３４】
この水力発電装置のメンテナンスを行うときや、水車翼２に過剰な水流が作用する増水時には、図３に一点鎖線で示すように、水車翼２の全体が水面Ｓよりも上方に位置する待機姿勢に架台１１を水力発電モジュール３と共に回転させる。この回転の操作は、棒状部材からなる操作手段１６を作業者が持って上昇方向に回転させることで行う。
架台１１の回転は、架台１１に固定された待機姿勢維持用のストッパー片４２が、固定フレーム１０に設けられた待機姿勢維持用のストッパーベース４４に当接することで止められる。すなわち、図５に示すように、水没姿勢では待機姿勢維持用のストッパー片４２は垂直に起立しているが、図６に示すように待機姿勢まで回転すると、待機姿勢維持用のストッパー片４２がストッパーベース４４に当接する。
この状態で架台１１が上流側に回転することは阻止されているが、下流側に戻ることは自由である。そのため、レバー状の回転ストッパー４７を図７のように回転させ、ストッパーベース４４上のストッパー片４２の上面に係合させる。回転ストッパー４７は、ストッパーベース４４上の突起部５２に当接するまで回転させればよく、これにより回転ストッパー４７はストッパー片４２の浮き上がりを阻止する係合回転位置となる。これにより、架台１１の回転がいずれの方向にも阻止され、架台１１は水力発電モジュール３と共に待機姿勢を維持する。
【００３５】
この水力発電装置を水路１への設置のために工場等から運搬するときも、上記の待機姿勢で行う。待機姿勢では、水力発電装置の全体の高さが低くなり、運搬のための寸法が小さくなる。
【００３６】
この構成の水力発電装置によると、前記のように、水力発電モジュール３を搭載した架台１１が、水路１に固定して設置される固定フレーム１０に対し水没姿勢と待機姿勢とに渡って上下に回転可能に支持されているため、増水時やメンテナンス時に水力発電モジュールを水車翼２が水面Ｓよりも上方に位置する待機位置に引き上げることができて、安全やメンテナンスの作業性を向上させることができる。またこの水力発電装置の設置時には、この水力発電装置を待機姿勢として運搬できて、運搬時の寸法を小さくできる。
【００３７】
架台１１には水没姿勢維持用のストッパー片４１および待機姿勢維持用のストッパー片４２が設けられ、固定フレーム１０には水没姿勢維持用および待機姿勢維持用のストッパーベース４３，４４が設けられ、また棒状部材からなる操作手段１６が設けられているため、架台１１の回転範囲を容易に規制し、架台１１を水力発電モジュール３と共に、水没姿勢や待機姿勢に姿勢変更させることができる。
【００３８】
特に、待機姿勢維持用の回転ストッパー４７が設けられ、回転ストッパー４７は、待機姿勢維持用のストッパーベース４４上にストッパー片４２が係合している状態で、このストッパー片４２の上方に位置することで、ストッパー片４２の浮き上がりを阻止し、架台１１を水力発電モジュール３と共に退避姿勢に維持することができる。このように待機姿勢を回転ストッパー４７で維持できるため、安全性が高められる。回転ストッパー４７は回転より架台１１に対して係合状態と非係合状態とに切り換わるため、従来のかんぬき棒を抜き差しするような構成の場合に比べ、架台１１を固定する状態と固定しない状態とに切り換える操作が簡単に行える。しかも回転ストッパー４７は、固定フレーム１０に回転可能に取り付けられていることで、水路１の外から係脱の操作が行え、このことからも架台１１の固定状態と非固定状態との切り換えの操作が簡単に行える。
【００３９】
固定フレーム１０の待機姿勢維持用のストッパーベース４４の上には回転ストッパー４７の回転範囲の規制用の突起部５２が設けられているため、回転ストッパー４７は突起部５２に当たるまで回転させればよく、微妙な位置調整が不要で、作業時間が短縮され、作業コストが削減される。
回転ストッパー４７は、操作片部４７ｂを有し作業者の足を操作片部４７ｂ当てて操作することが可能なため、棒状部材からなる操作手段１６を水路１の片側で持ち上げる作業者が、持ち上げ作業に続いてそのまま回転ストッパー４７を係合させる操作が行える。そのため、作業人数が、水路１の両側にそれぞれ作業する２人で済み、人工数の削減になり作業コストが削減される。
この場合に、回転ストッパー４７は、鈍角を成す角度で屈曲した「くの字」であるため、回転ストッパー４７の足等での回転の操作が容易となり、より安全性・作業性が向上する。
【００４０】
また、回転ストッパー４７は、ストッパーベース４４上のストッパー片４２に係合して架台１１の回転を阻止する構成であるため、このことからも、簡単な構成で架台１１の回転を確実に阻止することができる。
【００４１】
前記各ストッパー片４１，４２については、いずれも、先端位置が水路１の幅方向の中心側に位置するように屈曲した形状であるため、ストッパー片と固定フレーム１０のすきまに指が入ることが防止され、安全に作業することができる。
【００４２】
なお、この実施形態では、回転ストッパー４７は、待機姿勢でストッパー片４２に係合して架台１１の回転を阻止し、待機姿勢を維持するようにしたが、水没姿勢でストッパー片４１に係合して水没姿勢を維持する回転ストッパー（図示せず）を設けてもよい。
【００４３】
以上、実施形態に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００４４】
１…水路
２…水車翼
３…水力発電モジュール
５…発電機
１０…固定フレーム
１１…架台
１３…回転梁
１４…回転軸受部
１５…固定梁
１６…操作手段
２０…発電機カバー
４１…水没姿勢維持用のストッパー片
４２…待機姿勢維持用のストッパー片
４３…水没姿勢維持用のストッパーベース
４４…待機姿勢維持用のストッパーベース
４５…固定具
４７…回転ストッパー
４７ａ…係合片部
４７ｂ…操作片部
５２…突起部
【図１】
2020101114.tif 000003
【図２】
2020101114.tif 000004
【図３】
2020101114.tif 000005
【図４】
2020101114.tif 000006
【図５】
2020101114.tif 000007
【図６】
2020101114.tif 000008
【図７】
2020101114.tif 000009